(57)【特許請求の範囲】
【請求項１】
シート状の絞り部材を備えるレンズ鏡筒において、
レンズおよび上記絞り部材を保持するレンズ保持枠を備え、
上記レンズ保持枠の内径のうち最も小さく、リング状をなす絞り載置台に、リング状をなす上記絞り部材が、両リング状の開口が重なるように載置され、
上記絞り部材の絞り開口の径は、上記絞り載置台の開口の径よりも小さくされ、
上記絞り載置台には、表示が形成されており、
上記表示は、
上記絞り載置台の一部が光軸方向に貫通した切り欠き部、または上記絞り載置台を部分的に切り抜いた切り抜き、
または上記絞り載置台の内周端面から光軸へ向かう突起、または上記絞り載置台の面の一部に固着した光を反射可能な光反射部材である、ことを特徴とするレンズ鏡筒。
【請求項２】
請求項１記載のレンズ鏡筒において、
前記絞り部材は、前記枠体と、前記レンズと、の間に挟まれて固定されることを特徴とするレンズ鏡筒。
【請求項３】
請求項１または２記載のレンズ鏡筒において、
前記表示は、その面積が０．０６平方ミリメートル以上であることを特徴とするレンズ鏡筒。
【発明の詳細な説明】
【技術分野】
【０００１】
本発明は、レンズ鏡筒に関する。
【背景技術】
【０００２】
レンズ保持枠の内周面から円環状の遮光壁（すなわち「絞り」）が突出するレンズ鏡筒が従来から存在している（特許文献１参照）。このレンズ鏡筒は、絞り部材がレンズ保持枠と一体化されている。他方、レンズ保持枠の中でシート状の絞り部材がレンズの間に挟まれて固定されているレンズ鏡筒も従来から存在している（特許文献２参照）。
【先行技術文献】
【特許文献】
【０００３】
【特許文献１】特開２０１１−１０００２０号公報
【特許文献２】特開平７−００５３５４号公報
【発明の概要】
【発明が解決しようとする課題】
【０００４】
特許文献１に記載されているレンズ鏡筒は、絞り部材とレンズ保持枠とが一体化されているため、レンズ鏡筒の組み立て作業の際に、絞り部材を取り扱うといった作業が無い。しかし、特許文献２に記載されているレンズ鏡筒は、その組み立て作業の際にシート状の絞り部材を取り扱う必要があり、その作業が困難である。
【０００５】
そこで本発明の目的は、シート状の絞り部材を用いても、組み立て作業を容易にすること、特に絞り部材の入れ忘れを防止でき、組み立て作業の確実性を高めることが可能なレンズ鏡筒を提供することである。
【課題を解決するための手段】
【０００６】
上記目的を達成するため、本発明のシート状の絞り部材を備えるレンズ鏡筒は、レンズおよび上記絞り部材を保持するレンズ保持枠を備え、レンズ保持枠の内径のうち最も小さく、リング状をなす絞り載置台に、リング状をなす絞り部材が、両リング状の開口が重なるように載置され、絞り部材の絞り開口の径は、絞り載置台の開口の径よりも小さくされ、絞り載置台には、表示が形成されており、表示は、絞り載置台の一部が光軸方向に貫通した切り欠き部、または絞り載置台を部分的に切り抜いた切り抜き、または絞り載置台の内周端面から光軸へ向かう突起、または絞り載置台の面の一部に固着した光を反射可能な光反射部材である、こととしても良い。
【０００７】
ここで、表示は、枠体の一部を切り欠いた切り欠き部であることとしてもよい。
【０００８】
また、絞り部材は、枠体と、レンズと、の間に挟まれて固定されることとしてもよい。
【０００９】
また、表示は、その面積が０．０６平方ミリメートル以上であることとしてもよい。
【発明の効果】
【００１０】
本発明では、シート状の絞り部材を用いても、組み立て作業を容易にすること、特に絞り部材の入れ忘れを防止でき、組み立て作業の確実性を高めることが可能なレンズ鏡筒を提供することができる。
【図面の簡単な説明】
【００１１】
【図１】本発明の実施の形態に係るレンズ鏡筒を光軸方向に沿って見た図であり、第１レンズ、第２レンズ、第３レンズおよび第４レンズの図示を省略した図である。
【図２】図１のＡ−Ａ断面図であり、第１レンズ、第２レンズ、第３レンズおよび第４レンズを図示した図である。
【図３】本発明の実施の形態に係るレンズ鏡筒の斜視図であり、第１レンズ、第２レンズ、第３レンズおよび第４レンズの図示を省略した図である。
【図４】本発明の実施の形態に係るレンズ鏡筒に採用することが可能な表示の変形例を示す図である。
【発明を実施するための形態】
【００１２】
以下、本発明の実施の形態に係るレンズ鏡筒について、図面を参照しながら説明する。
【００１３】
（本発明の実施の形態に係るレンズ鏡筒の構成）
図１は、本発明の実施の形態に係るレンズ鏡筒を光軸方向に沿って見た図であり、第１レンズ、第２レンズ、第３レンズおよび第４レンズの図示を省略した図である。図２は、図１のＡ−Ａ断面図であり、第１レンズ、第２レンズ、第３レンズおよび第４レンズを図示した図である。図３は、本発明の実施の形態に係るレンズ鏡筒の斜視図であり、第１レンズ、第２レンズ、第３レンズおよび第４レンズの図示を省略した図である。
【００１４】
本発明の実施の形態に係るレンズ鏡筒１は、シート状且つリング状の絞り部材２を備えている。またレンズ鏡筒１は、第１レンズ３、第２レンズ４、第３レンズ５、第４レンズ６および絞り部材２を保持するレンズ保持枠７を備えている。
【００１５】
絞り部材２は、弾性を有するシート材で形成されるとともに中央部に円形の絞り開口２Ａが形成されている。レンズ鏡筒１は、この絞り部材２が、第１レンズ３、第２レンズ４、第３レンズ５および第４レンズ６と光軸Ｌに沿って対面するように配置されるものである。
【００１６】
レンズ保持枠７は、その内周面７Ａから光軸Ｌ方向に突出するように配置される、断面形状が三角形でリング状の絞り載置台７Ｂ（枠体）を、レンズ保持枠７との一体成形物として有している。
【００１７】
ここで絞り部材２は、絞り載置台７Ｂのうち光軸Ｌに対してほぼ垂直の面となる載置面７Ｂ１に載置されている。なお、絞り部材２の絞り開口２Ａの径は、絞り載置台７Ｂのほぼ円形の開口７Ｃの径よりも若干小さい（図１参照）。そして、絞り載置台７Ｂには、絞り部材２が載置面７Ｂ１に載置された状態で、絞り部材２によって覆われる切り欠き部７Ｂ２（表示）が形成されている。
【００１８】
切り欠き部７Ｂ２は、絞り載置台７Ｂの内側（光軸Ｌに近い側）の一部を切り欠いたもので、直径が０．５ｍｍのほぼ半円形状に形成されている。そのため、表示としての面積は、約０．１平方ミリメートルである。
【００１９】
絞り部材２は、絞り載置台７Ｂと、第３レンズ５（複数のレンズのうちの１つ）との間に挟まれて固定されている。ここで、第３レンズ５は、図２に示す接着剤８Ａによって、レンズ保持枠７の内周面７Ａに固着されている。
【００２０】
その固定状態で、第３レンズ５が絞り部材２と接しているのは、第３レンズ５の凸面５Ａとは反対側の凹面５Ｂの縁部５Ｂ１の全周である。そのため、第３レンズ５による絞り部材２への固定のための押圧力が強くても、絞り部材２の意図しない変形（たとえば凸面５Ａで絞り部材２を押圧する場合の、絞り載置台７Ｂの開口７Ｃの範囲にはみ出た絞り部材２の部分の伸長等）を抑制している。また、第３レンズ５による絞り部材２への固定のための押圧力は、絞り載置台７Ｂのうち切り欠き部７Ｂ２の部分を避けて受けるようにしている。これも、上記絞り部材２の意図しない変形（たとえば、切り欠き部７Ｂ２の形状が絞り部材２に刻印されるような変形等）を避けるためである。
【００２１】
ここで図２に示すように、第２レンズ４も接着剤８Ｂによって、レンズ保持枠７の内周面７Ａに固着されている。この接着剤８Ｂは、レンズ保持枠７に形成されている接着剤収容凹部７Ｄ，７Ｄ，７Ｄに供給される（図１参照）。３つの接着剤収容凹部７Ｄ，７Ｄ，７Ｄは、光軸Ｌを中心として１２０°間隔に形成されている。そのため、第２レンズ４は接着剤８Ｂによって、レンズ保持枠７の内周面７Ａに３箇所（等間隔）で固着され、第２レンズ４がバランス良くレンズ保持枠７に固着されている。
【００２２】
第３レンズ５および第４レンズ６も、第２レンズ４と同様に、それぞれ等間隔に形成された３つの接着剤収容凹部７Ｅ，７Ｆ（図１からは見えない）に供給された接着剤８Ａ，８Ｃによって、バランス良くレンズ保持枠７に固着されている。なお、第３レンズ５は、凸面５Ａ側が接着剤８Ａによって固着され、凹面５Ｂ側は固着されていない。この理由は、凹面５Ｂ側は絞り部材２に接する側であり、接着剤８Ａの絞り部材２への付着等を極力避けるためである。
【００２３】
なお、第１レンズ３は、レンズ保持枠７の先端部７Ｇを光軸Ｌに向かうように屈曲させ、第１レンズ３の凸面３Ａの端部全周を押圧することにより、レンズ保持枠７に固定するようにする。
【００２４】
（本発明の実施の形態によって得られる主な効果）
本発明の実施の形態に係るレンズ鏡筒１は、その組み立て作業の際に、絞り部材２を絞り載置台７Ｂに載置したかどうかの確認ができる。その理由は、絞り部材２が絞り載置台７Ｂの載置面７Ｂ１に載置された状態では、切り欠き部７Ｂ２が絞り部材２によって覆われるため、レンズ保持枠７を光軸方向Ｌに沿って見たときに切り欠き部７Ｂ２が見えず、また、絞り部材２が絞り載置台７Ｂに載置されていない状態では、切り欠き部７Ｂ２が見えるためである。すると、絞り部材２をレンズ鏡筒１に組み込むのを忘れるといったミスを抑制でき、組み立て作業の確実性を高めることができる。そのため レンズ鏡筒１は、シート状の絞り部材２を用いても、組み立て作業を容易にすることを可能とする。なお、絞り部材２を絞り載置台７Ｂに載置したかどうかの確認は、通常はレンズ保持枠７に第１レンズ３、第２レンズ４、第３レンズ５および第４レンズ６を保持させる前に行われる。また、レンズ保持枠７に第１レンズ３、第２レンズ４、第３レンズ５および第４レンズ６を保持させた後であっても、これらのレンズを介して切り欠き部７Ｂ２は視認できるので、絞り部材２を絞り載置台７Ｂに載置したかどうかの確認はできる。
【００２５】
また、絞り部材２の絞り開口２Ａの径は、絞り載置台７Ｂのほぼ円形の開口７Ｃの径よりも若干小さい。そのため、レンズ保持枠７を光軸方向Ｌに沿って見たときに絞り部材２が絞り載置台７Ｂに載置されているかどうかは、切り欠き部７Ｂ２が見えるかどうかではなく、開口の径の違いによって確認できるとも思われる。しかし、その開口の径の違いは極僅かなため、一見して絞り部材２の有無を確認しにくい。そのため、切り欠き部７Ｂ２のような表示の有無で確認する方が容易である。
【００２６】
特に、外形の小さいレンズ鏡筒１の組み立て作業は、柔軟で薄く小さな取り扱いにくい絞り部材２を取り扱う作業となり、非常に困難を伴う。そのため、外形の小さいレンズ鏡筒１の組み立て作業の際に、絞り部材２を絞り載置台７Ｂに載置したかどうかの確認ができることは、非常に有利な効果といえる。
【００２７】
また、切り欠き部７Ｂ２の面積は、約０．１平方ミリメートルであり、肉眼でも比較的容易に視認可能である。そのため、拡大鏡等を用いる必要がなく、レンズ鏡筒１の組み立て作業をより容易にすることができる。
【００２８】
さらに、絞り部材２は、絞り載置台７Ｂと、第３レンズ５との間に挟まれて固定されている。そのため、柔軟で薄く取り扱いにくい絞り部材２を直接取り扱ってレンズ保持枠７に固定するのではなく、比較的取り扱い易い第３レンズ５をレンズ保持枠７に固定する作業と共に絞り部材２の固定作業を行うことが可能となる。
【００２９】
また、その固定状態で、第３レンズ５が絞り部材２と接しているのは、第３レンズ５の凹面５Ｂの縁部５Ｂ１の全周であるため、絞り部材２の意図しない変形を抑制できている。さらに、第３レンズ５による絞り部材２への固定のための押圧力は、絞り載置台７Ｂのうち切り欠き部７Ｂ２の部分（表示部分）を避けて受けるようにしているため、絞り部材２の意図しない変形を避けることができる。
【００３０】
（他の形態）
上述した本発明の実施の形態に係るレンズ鏡筒１は、本発明の好適な形態の一例ではあるが、これに限定されるものではなく本発明の要旨を変更しない範囲において種々の変形実施が可能である。
【００３１】
たとえば、絞り載置台７Ｂには、絞り部材２が絞り載置台７Ｂの載置面７Ｂ１に載置された状態で、絞り部材２によって覆われる、表示としての切り欠き部７Ｂ２が形成されている。しかしこの表示は、切り欠き部７Ｂ２である必要はない。
【００３２】
図４は、本発明の実施の形態に係るレンズ鏡筒１に採用することが可能な表示の変形例を示す図である。図４では、絞り載置台７Ｂと同等の枠体である絞り載置台７Ｈ，７Ｊ，７Ｋと絞り部材２および表示のみを示す。また、図４は、図１と同じ方向からレンズ鏡筒１を光軸方向Ｌに沿って見た図である。
【００３３】
図４（Ａ）は、絞り載置台７Ｈの内周端面７Ｈ２から光軸Ｌへ向かう突起７Ｈ１を形成した絞り載置台７Ｈを示す図である。この突起７Ｈ１が表示となる。突起７Ｈ１のうち、最も光軸Ｌに近い先端は、絞り部材２の絞り開口２Ａと重なりあう等、レンズ鏡筒１を透過する光を遮ることがないようにすることが好ましいが、フレアまたはゴーストが発生しない程度に、その先端が絞り開口２Ａと重なりあっても良い。
【００３４】
図４（Ｂ）は、絞り載置台７Ｊを部分的に切り抜いた切り抜き７Ｊ１を形成した絞り載置台７Ｊを示す図である。この切り抜き７Ｊ１は、切り欠き部７Ｂ２と同等の役割を果たす。ここで、絞り部材２が絞り載置台７Ｊと、第３レンズ５との間に挟まれて固定される場合には、第３レンズ５による絞り部材２への固定のための押圧力は、絞り載置台７Ｊのうち切り抜き７Ｊ１の部分を避けて受けることが好ましい。その理由は、絞り部材２の意図しない変形を避けるためである。
【００３５】
図４（Ｃ）は、絞り部材２が載置される絞り載置台７Ｋの面の一部にアルミ箔等の光を反射可能な光反射部材７Ｋ１を固着した絞り載置台７Ｋを示す図である。レンズ鏡筒１を光軸方向Ｌに沿って、図１とは反対の方向から見ながら絞り載置台７Ｋの絞り部材２を載置すべき面に光を照射して、光反射部材７Ｋ１が光れば絞り部材２が載置されていないことがわかる。
【００３６】
また、絞り載置台７Ｂは、断面形状が三角形でリング状の形状だが、他の形状の枠体であっても良い。たとえば、断面形状は四角形等でも良い。また、枠体としての絞り載置台７Ｂの全体形状はリング状ではなく、楕円環形状、四角い枠の形状等の他の環状の形状でも良い。
【００３７】
さらに、レンズ保持枠７は、絞り載置台７Ｂを、レンズ保持枠７との一体成形物として有している。しかし、絞り載置台７Ｂは、レンズ保持枠７とは別の部材として取り付けられように配置されるものであっても良い。
【００３８】
また、切り欠き部７Ｂ２の表示としての面積は、約０．１平方ミリメートルである。しかし、表示の面積は適宜変更できる。たとえば、肉眼で表示を確認する際には、表示の面積を０．０６平方ミリメートル以上とすることが好ましい。拡大鏡を用いて表示を確認する場合には、表示の面積を０．０６平方ミリメートル未満にできることは言うまでもない。ただし、表示の面積を０．０６平方ミリメートル以上とすることで、表示の形成、たとえば切り欠き部７Ｂ２の形成が容易になる。仮に樹脂の射出成形によって表示を形成する場合には、表示がある程度の大きさ（たとえば、面積が０．０６平方ミリメートル以上）を有していれば、金型の製造および成形作業が容易になる。
【００３９】
また、絞り部材２は、絞り載置台７Ｂと、第３レンズ５との間に挟まれて固定されている。しかしながら、絞り部材２は、それ単独で絞り載置台７Ｂに接着剤等で固着されていても良い。
【００４０】
また、絞り部材２は、中央部に円形の絞り開口が形成され、外形も円形のリング状の形状である。しかしながら、絞り部材２の外形は円形に限定されず、四角形など他の形状であっても良い。
【００４１】
また、レンズ鏡筒１は、第１レンズ３、第２レンズ４、第３レンズ５および第４レンズ６を有している。しかしながら、レンズの数およびそれらの形状等は、適宜変更することができる。
【符号の説明】
【００４２】
１  レンズ鏡筒
２  絞り部材
３  第１レンズ（レンズ）
４  第２レンズ（レンズ）
５  第３レンズ（レンズ）
６  第４レンズ（レンズ）
７  レンズ保持枠
７Ｂ  絞り載置台（枠体）
７Ｂ２  切り欠き部（表示）
７Ｈ１  突起（表示）
７Ｊ１  切り抜き（表示）
７Ｋ１  光反射部材（表示）
【図１】
0006573471.tif 000002
【図２】
0006573471.tif 000003
【図３】
0006573471.tif 000004
【図４】
0006573471.tif 000005